(57)【要約】【課題】この発明は見方によって異なる外観を呈することができるようにした布団皮を提供することにある。【解決手段】第１の表地２と第２の表地３とを重ね合わせ、これら表地の周縁部を縫合して形成された布団皮において、上記第１の表地と第２の表地との周縁部間には、これら表地の周縁からの突出長さを違えて重ね合わされた複数の襞縁４，５が上記表地と一体的に縫合されている。【選択図】    図２
2004188090.tif 000002
【特許請求の範囲】
【請求項１】
第１の表地と第２の表地とを重ね合わせ、これら表地の周縁部を縫合して形成された布団用外装体において、
上記第１の表地と第２の表地との周縁部間には、これら表地の周縁からの突出長さを違えて重ね合わされた複数の襞縁が上記表地と一体的に縫合されていることを特徴とする布団用外装体。
【請求項２】
複数の襞縁の重ね合わされた部分の上記第１、第２の表地の周方向に沿う少なくとも一部は、開閉手段によって開閉可能に連結されていることを特徴とする請求項１記載の布団用外装体。
【請求項３】
複数の襞縁は、色彩と素材の少なくとも一方が異なることを特徴とする請求項１記載の布団用外装体。
【発明の詳細な説明】
【０００１】
【発明の属する技術分野】
この発明は掛け布団や敷き布団などの布団皮或いは布団用のカバーなどの布団用外装体に関する。
【０００２】
【従来の技術】
一般に、掛け布団や敷き布団などの布団は、矩形状の第１の表地と第２の表地とを重ね合わせ、これら表地の周縁部を縫合して袋状に形成された布団用外装体としての布団皮を有する。そして、この布団皮の内部には羽毛や綿などの保温材が収容される。
【０００３】
上記構成の布団は、布団皮が汚れたり、早期に損傷するのを防止するなどの目的で同じく布団用外装体としての布団カバーによって被覆される。布団カバーは、周知のように布団の形状に対応する矩形状の第１の表地と第２の表地との周囲四辺のうちの三辺を縫合するとともに残りの一辺を開口させ、この一辺をファスナによって開閉可能に構成する。そして、布団カバーの開閉可能な一辺から内部に布団を収容した後、その一辺のファスナを閉じて使用される。
【０００４】
【発明が解決しようとする課題】
ところで、上記布団皮や布団カバーなどの布団用外装体は、その機能とともに外観的に良好であることが商品価値を高める上で重要である。そこで、従来の布団用外装体は第１の表地と第２の表地との色彩や素材などを選択することによって外観の向上を図るようにしていた。
【０００５】
しかしながら、布団用外装体を構成する第１の表地と第２の表地との色彩や素材を選択するだけでは、その外観を十分に向上させることができないということがあった。
【０００６】
この発明は、第１の表地と第２の表地との色彩や素材以外の要素によって装飾的な機能を持たせ、外観の向上を図ることができるようにした布団用外装体を提供することにある。
【０００７】
【課題を解決するための手段】
この発明は、第１の表地と第２の表地とを重ね合わせ、これら表地の周縁部を縫合して形成された布団用外装体において、
上記第１の表地と第２の表地との周縁部間には、これら表地の周縁からの突出長さを違えて重ね合わされた複数の襞縁が上記表地と一体的に縫合されていることを特徴とする布団用外装体である。
【０００８】
布団用カバーの場合には、複数の襞縁の重ね合わされた部分の上記第１、第２の表地の周方向に沿う少なくとも一部は、開閉手段によって開閉可能に連結されていることが好ましい。
【０００９】
複数の襞縁は、色彩と素材の少なくとも一方が異なることが好ましい。
【００１０】
この発明によれば、第１の表地と第２の表地の周縁部間に縫合された複数の襞縁が突出長さを違えているため、重ね合わされた複数の襞縁を第１の表地側から見るか、第２の表地側から見るかによって異なる外観を呈することができる。
【００１１】
【発明の実施の形態】
以下、この発明の実施の形態を図面を参照して説明する。
【００１２】
図１乃至図３はこの発明の第１の実施の形態を示す。図１は布団の外装体としての羽毛布団用の布団皮１を示す。この布団皮１はそれぞれ矩形状に切断された第１の表地2と第２の表地３を有する。
【００１３】
上記第１、第２の表地２，３の周縁部間には、図２に示すように同じ幅寸法に折り曲げられた第１の襞縁４と第２の襞縁５とが上記表地２，３の周縁からの突出長さを違えて介装されている。これら襞縁４，５は上記第１、第２の表地２，３と一体的に縫合されている。この実施の形態では第１の襞縁４よりも第２の襞縁５の方が表地２，３の周縁からの外方への突出寸法が大きく設定されている。
【００１４】
さらに、第１の襞縁４と第２の襞縁５とは色彩及び素材の少なくとも一方が異なっている。この実施の形態では色彩及び素材の両方が異なったバイアステープによって形成されている。
【００１５】
上記第１の表地２と第２の表地３との間は、仕切り布７によって複数の空間部８に区画されている。各空間部８には図示しない羽毛が収容される。各空間部８に収容された羽毛は上記仕切り布７によって布団皮１内で一方向に偏るのが防止されている。
【００１６】
このような構成の布団皮１によれば、図３（ａ）に示すように第１の表地2が上側を向いた状態で使用すれば、第１の表地2の周縁部には第１の襞縁４と、この第１の襞縁４から突出した第２の襞縁５との両方が見える。つまり、布団皮１は周辺部に色彩と素材の異なる2つの襞縁４，５が設けられた外観を呈する。
【００１７】
一方、図３（ｂ）に示すように、布団皮１を第２の表地３を上側にして利用すると、第１の襞縁４が第２の襞縁５によって覆われた状態になるから、第２の襞縁５だけが見える。そのため、布団皮１の周縁部は第２の襞縁５の色彩と素材との外観を呈することになる。
【００１８】
このように、布団皮１は第１の表地２を上側にして利用するか、第２の表地３を上側にして利用するかのいずれかの使用状態によってこれら表地２，３の周縁部に突出長さを違えて設けられた第１の襞縁４と第２の襞縁５との色彩と素材とによって異なる外観を呈することができる。それによって、布団皮１の商品価値を高め、販売促進を図ることが可能となる。
【００１９】
なお、第１の襞縁４と第２の襞縁５との色彩と素材とが同じであっても、これら襞縁４，５の突出寸法が異なるため、布団皮１を第１、第２の表地２，３のいずれの側から見るかによって布団皮１の外観を変えることができる。
【００２０】
図４はこの発明の第２の実施の形態を示す。この実施の形態は第１の表地２と第２の表地３との周辺部の間には第１乃至第３の３つの襞縁１１ａ〜１１ｃがそれぞれ突出寸法を違えて設けられている。つまり、第１の襞縁１１ａよりも第２の襞縁１１bの方が突出寸法が大きく、第２の襞縁１１よりも第３の襞縁１１cの方がさらに突出寸法が大きくなっている。
【００２１】
第１の襞縁１１ａと第２の襞縁１１bとはほぼ同じ幅寸法であるが、第３の襞縁１１ｃは第１、第２の襞縁１１ａ，１１ｂよりも幅寸法が大きく設定されている。最も突出寸法が大きくなる第３の襞縁１１ｃの幅寸法だけを大きくすることで、第１、第２の襞縁１１ａ，１１ｂの幅寸法を大きくせずにすむ。そのため、襞縁に使用する材料を少なくすることができる。
【００２２】
このように、第１の表地２と第２の表地３との周縁部間に３つの襞縁１１ａ〜１１ｃを設けた場合でも、布団皮１を第１、第２の表地２，３のどちら側から見るかによって異なる外観を呈することができる。
【００２３】
図５はこの発明の第３の実施の形態を示す。この実施の形態は布団用外装体としての布団カバー２０を示す。この布団カバー２０は、同じ大きさの矩形状に形成された第１の表地１２と第２の表地１３とを有する。第１の表地１２の内面の周縁部には第１の襞縁１４が縫合され、第２の表地１３の内面の周縁部には第２の襞縁１５が縫合されている。
【００２４】
上記第１の襞縁１４の第１の表地１２からの突出寸法は、第２の表地１３からの第２の襞縁１５の突出寸法よりも小さく設定されている。第１の襞縁１４と第２の襞縁１５とは第１の実施の形態と同様、色彩と素材のうち、少なくとも一方が異なるものが用いられている。
【００２５】
上記第１の表地１２と第２の表地１３とを重ね合わせたときに対向する第１の襞縁１４と第２の襞縁１５との側面は、各表地１２，１３の周方向に沿う四辺全体が開閉手段としてのファスナ１６によって連結される。それによって、ファスナ１６を開くことで、第１の表地１２と第２の表地１３との間の空間部に同図に鎖線で示すように布団１７を収納できるようになっている。なお、ファスナ１６は表地１２，１３の四辺のうち、少なくとも一辺に設ければよい。
【００２６】
このような構成の布団カバー２０によれば、第１の実施の形態の布団皮１と同様、第１、第２の表地１２，１３のどちらを上にして用いるかによって第１、第２の襞縁１４，１５の両方が見えたり、一方だけしか見えない状態になるから、利用状態に応じて異なる外観を呈することになる。それによって、布団カバー２０の商品価値を高めることができる。
【００２７】
【発明の効果】
以上のようにこの発明によれば、第１の表地と第２の表地の周縁部間に、複数の襞縁を突出長さを違えて縫合するようにした。そのため、重ね合わされた複数の襞縁を第１の表地側から見るか、第２の表地側から見るかによって異なる外観を呈することができるから、商品価値を高めることができる。
【図面の簡単な説明】
【図１】この発明の第１の実施の形態を示す布団の斜視図。
【図２】図１の布団の断面図。
【図３】（ａ）は布団を第１の表地側から見た平面図、（ｂ）は第２の表地側から見た平面図。
【図４】この発明の第２の実施の形態を示す布団側の一部分の断面図。
【図５】この発明の第３の実施の形態を示す布団カバーの断面図。
【符号の説明】
１…布団皮
２，１２…第１の表地
３，１３…第２の表地
４，１４…第１の襞縁
５，１５…第２の襞縁
１１ａ〜１１ｃ…襞縁
【図１】
2004188090.tif 000003
【図２】
2004188090.tif 000004
【図３】
2004188090.tif 000005
【図４】
2004188090.tif 000006
【図５】
2004188090.tif 000007